(57)【要約】【課題】ユーザーが出来るだけ簡単な操作で、以前設定した印刷設定に基づき画像を印刷することを可能にする。【解決手段】画像出力装置に印刷装置が接続されたかどうかを判定し（Ｓ１）、接続された際には印刷装置から印刷設定情報を取得する（Ｓ２）。印刷装置から取得した印刷設定情報と予め画像出力装置内に記録している印刷設定情報とを比較し（Ｓ３）、現在接続されている印刷装置に関する印刷設定情報が存在する場合、画像出力装置上の表示部へ印刷設定を表示する（Ｓ４）。これは画像出力装置に適用できる。【選択図】図３
2006352209.tif 000002
【特許請求の範囲】
【請求項１】
複数の印刷装置と選択的に接続可能であり、前記複数の印刷装置のうち接続した印刷装置に画像を出力して印刷を指示する画像出力装置であって、
前記接続可能な複数の印刷装置における各印刷の設定条件をそれぞれ記憶する設定記憶手段と、
前記接続した印刷装置との通信を行い、前記接続した印刷装置を特定するための印刷装置識別子を前記印刷装置から取得する通信手段と、
前記通信手段で取得した印刷装置識別子に基づいて、前記設定記憶手段に記憶された複数の設定条件の中からいずれかを選択する選択手段と、
を備える画像出力装置。
【請求項２】
複数の印刷装置と選択的に接続可能であり、前記複数の印刷装置のうち接続した印刷装置に画像を出力して印刷を指示する画像出力装置であって、
前記接続可能な複数の印刷装置における各印刷の設定条件をそれぞれ記憶する設定記憶手段が着脱可能であり、
前記接続した印刷装置との通信を行い、前記接続した印刷装置を特定するための印刷装置識別子を前記印刷装置から取得する通信手段と、
前記通信手段で取得した印刷装置識別子に基づいて、前記設定記憶手段に記憶された複数の設定条件の中からいずれかを選択する選択手段と、
を備える画像出力装置。
【請求項３】
前記選択した設定条件を表示する表示手段をさらに備える、請求項１または２に記載の画像出力装置。
【請求項４】
前記設定記憶手段に記憶された設定条件は、前記各印刷装置を特定するための印刷装置識別子を含み、
前記選択手段は、前記通信手段で取得した印刷装置識別子と前記設定条件に含まれる印刷装置識別子とを比較して、前記設定記憶手段に記憶された複数の設定条件の中からいずれかを選択する、
請求項１〜３のいずれかに記載の画像出力装置。
【請求項５】
前記設定記憶手段に記憶された設定条件を格納するファイルのファイル名は、その設定条件で印刷を実行する印刷装置の製造者を特定する製造者識別子を含み、
前記設定記憶手段に記憶された設定条件は、前記各印刷装置を特定するための印刷装置識別子を含み、
前記選択手段は、前記通信手段で取得した印刷装置識別子と前記設定条件を格納するファイルのファイル名とを比較して、前記設定条件を格納するファイルを特定した上で、前記通信手段で取得した印刷装置識別子と前記設定条件に含まれる印刷装置識別子とを比較して、前記設定記憶手段に記憶された複数の設定条件の中からいずれかを選択する、
請求項１〜４のいずれかに記載の画像出力装置。
【請求項６】
前記選択された設定条件を、前記通信手段を介して、前記接続した印刷装置に指示する設定条件指示手段をさらに備え、
前記接続した印刷装置は、前記指示された設定条件に従って、前記画像出力装置から受信した画像を印刷する、
請求項１〜５のいずれかに記載の画像出力装置。
【請求項７】
画像を記憶すると共に、その画像を印刷する際の設定条件を複数組記憶する設定記憶手段を着脱可能であり、
自装置を特定するための印刷装置識別子を記憶する識別子記憶手段と、
前記記憶された印刷装置識別子に基づいて、前記設定記憶手段に記憶された複数の設定条件の中からいずれかを選択する選択手段と、
前記選択された設定条件に基づいて、前記設定記憶手段に記憶された画像の印刷を実行する印刷実行手段と、
を備える印刷装置。
【発明の詳細な説明】
【技術分野】
【０００１】
本発明は、画像出力装置により記録した画像を印刷装置で印刷する方法等に関する。
【背景技術】
【０００２】
近年、画像出力装置（以下、デジタルカメラと略記）で撮影した画像を印刷装置（以下、プリンタと略記）で印刷する手段としてパーソナルコンピュータ（以下、ＰＣと略記）を介さずに行う方法が多数提案され、普及してきた。その代表的なものとして、プリンタ本体に記憶媒体を装着するための装置を設け、着脱可能な記憶媒体に記憶されている画像をプリンタで直接読み出すことで印刷するもの（特許文献１）や、デジタルカメラとプリンタを通信接続手段により接続し、デジタルカメラに記録されている画像をプリンタへ送信することでプリンタが印刷するもの（特許文献２）がある。
【特許文献１】特開２００４−２１６５５９号公報
【特許文献２】特開２００４−２２１９３６号公報
【発明の開示】
【発明が解決しようとする課題】
【０００３】
しかしながら、上記のいずれの方式を用いたとしても、ユーザーは、デジタルカメラ側もしくはプリンタ側で印刷を行うための操作が必要であり、操作が煩雑になる。さらに、ユーザーが複数のプリンタを有している場合、プリンタに応じて印刷設定を使い分ける必要があり、ユーザーは各プリンタに応じた設定を覚えておかなければならいという課題があった。
【０００４】
本発明は、このような状況に鑑みてなされたものであり、ユーザー操作を最小限に抑え、プリンタに応じて印刷設定を自動的に変更して即座に印刷できるようにするものである。
【課題を解決するための手段】
【０００５】
この目的を達成するために、第１の発明に係る電子機器では、複数の印刷装置と選択的に接続可能であり、前記複数の印刷装置のうち接続した印刷装置に画像を出力して印刷を指示する画像出力装置であって、前記接続可能な複数の印刷装置における各印刷の設定条件をそれぞれ記憶する設定記憶手段と、前記接続した印刷装置との通信を行い、前記接続した印刷装置を特定するための印刷装置識別子を前記印刷装置から取得する通信手段と、前記通信手段で取得した印刷装置識別子に基づいて、前記設定記憶手段に記憶された複数の設定条件の中からいずれかを選択する選択手段とを備えるものである。
【０００６】
第２の本発明は、複数の印刷装置と選択的に接続可能であり、前記複数の印刷装置のうち接続した印刷装置に画像を出力して印刷を指示する画像出力装置であって、前記接続可能な複数の印刷装置における各印刷の設定条件をそれぞれ記憶する設定記憶手段が着脱可能であり、前記接続した印刷装置のと野通信を行い、前記接続した印刷装置を特定するための印刷装置識別子を前記印刷装置から取得する通信手段と、前記通信手段で取得した印刷装置識別子に基づいて、前記設定記憶手段に記憶された複数の設定条件の中からいずれかを選択する選択手段とを備えることを特徴とするものである。
【０００７】
第３の本発明は、前記選択した設定条件を表示する表示手段をさらに備えることを特徴とするものである。
【０００８】
第４の本発明は、前記設定記憶手段に記憶された設定条件は、前記各印刷装置を特定するための印刷装置識別子を含み、前記選択手段は、前記通信手段で取得した印刷装置識別子と前記設定条件に含まれる印刷装置識別子とを比較して、前記設定記憶手段に記憶された複数の設定条件の中からいずれかを選択することを特徴とするものである。
【０００９】
第５の本発明は、前記設定記憶手段に記憶された設定条件を格納するファイルのファイル名は、その設定条件で印刷を実行する印刷装置の製造者を特定する製造者識別子を含み、前記設定記憶手段に記憶された設定条件は、前記各印刷装置を特定するための印刷装置識別子を含み、前記選択手段は、前記通信手段で取得した印刷装置識別子と前記設定条件を格納するファイルのファイル名とを比較して、前記設定条件を格納するファイルを特定した上で、前記通信手段で取得した印刷装置識別子と前記設定条件に含まれる印刷装置識別子とを比較して、前記設定記憶手段に記憶された複数の設定条件の中からいずれかを選択することを特徴とするものである。
【００１０】
第６の本発明は、前記選択された設定条件を、前記通信手段を介して、前記接続した印刷装置に指示する設定条件指示手段をさらに備え、前記接続した印刷装置は、前記指示された設定条件に従って、前記画像出力装置から受信した画像を印刷することを特徴とするものである。
【００１１】
第７の本発明は、画像を記憶すると共に、その画像を印刷する際の設定条件を複数組記憶する設定記憶手段を着脱可能であり、自装置を特定するための印刷装置識別子を記憶する識別子記憶手段と、前記記憶された印刷装置識別子に基づいて、前記設定記憶手段に記憶された複数の設定条件の中からいずれかを選択する選択手段と、前記選択された設定条件に基づいて、前記設定記憶手段に記憶された画像の印刷を実行する印刷実行手段とを備えることを特徴とした印刷装置である。
【発明の効果】
【００１２】
本発明によれば、印刷装置が接続された画像出力装置における印刷を行う際の操作を削減することができる画像出力装置を提供することができる。
【００１３】
また、本発明によれば、画像出力装置により撮影された画像および画像出力装置を用いて印刷を行った際の印刷設定情報を記録した着脱可能な記憶媒体を印刷装置に装着した場合に、印刷装置で印刷を行う場合の操作を削減することができる。
【発明を実施するための最良の形態】
【００１４】
以下本発明を実施するための裁量の形態について、図面を参照しながら説明する。
【００１５】
（実施の形態１）
図１は、本発明の実施の形態１の画像出力装置（以下、デジタルカメラと略記）とプリンタとを接続した場合の構成を示す図である。図１においてデジタルカメラ１は、撮影した画像を表示するための液晶モニタ４および撮影の設定を行う場合や、撮影済みの画像のうち、表示するための画像を選択したり、印刷時に印刷設定を変更したりするための操作部５と、図示していないが、外部機器と通信接続するための通信処理部、画像を撮像するための画像撮像部などから構成されている。
【００１６】
図１において、印刷を行う場合、デジタルカメラ１は、ＵＳＢ（Ｕｎｉｖｅｒｓａｌ  Ｓｅｒｉａｌ  Ｂｕｓ）等の通信を行う通信ケーブル（２ａもしくは２ｂ）を介してプリンタ（３ａもしくは３ｂ）と接続される。また、デジタルカメラ１は、プリンタ３ａ、プリンタ３ｂいずれか一方と選択的に接続することにより印刷を行うことが可能となる。
【００１７】
図２は、本発明の実施の形態１におけるデジタルカメラの構成を示すブロック図である。図２において、デジタルカメラ１００は、プリンタ１１２と接続可能でありメディア１１１を着脱可能な構成である。さらに、デジタルカメラ１００は、いくつかの機能ブロックが内部バス１１０に接続することで構成されている。このデジタルカメラ１００において、１０１は図示しない光学系により取得された被写体の映像を撮影する撮影処理部であり、撮影された映像データは、内部バス１１０を介して、画像信号処理部１０２へ送られる。
【００１８】
画像信号処理部１０２は、コントローラ１０５の制御のもと撮影処理部１０１から内部バス１１０を介して入力された撮影データをＬＣＤ１０４へ表示するための表示データへ変換し、内部バス１１０を介してＤＲＡＭ１０３へ一時的に保存する。また、画像信号処理部１０２は、入力された撮影データを記憶メディア１１１へ記録可能なデータへ変換し、内部バス１１０を介してＤＲＡＭ１０３へ一時的に保存する。
【００１９】
コントローラ１０５は、ユーザが操作部１０６を介して指令した内容を示す信号に基づいて各ブロックを制御するとともに、ＤＲＡＭ１０３に格納されている表示データを内部バス１１０を介してＬＣＤ１０４へ表示したり、メディアＩ／Ｆ１０８を制御することで、ＤＲＡＭ１０３に格納されている記録可能なデータを内部バス１１０およびメディアＩ／Ｆ１０８を介して着脱可能なメディア１１１へ記録する。また、ＲＯＭ１０７は、コントローラ１０５が制御を行うために必要なプログラムが格納されている。
【００２０】
通信Ｉ／Ｆ１０９は、コントローラ１０５により制御されており、通信バス１１３を介して外部機器（たとえば、ここではプリンタ１１２）とデータのやりとりを行う。さらに、通信Ｉ／Ｆ１０９は、外部機器が接続されたかどうかを判別する判別部も有している。
【００２１】
次に、デジタルカメラ１００とプリンタ１１２が接続された場合に、接続されたプリンタ１１２を識別し、プリンタ１１２に基づいた印刷設定を選択し、印刷設定に基づいた表示を行い、印刷されるまでの動作について図３のフローを用いて説明する。
【００２２】
デジタルカメラ１００内部の通信Ｉ／Ｆ１０９内の判別部によりプリンタ１１２が接続されたかどうかを判別する（Ｓ１）。通信Ｉ／Ｆ１０９の判別部においてプリンタ１１２が接続されていないと判別した場合は、プリンタ１１２が接続されるまで判別処理を繰り返す（Ｓ１のＮｏ）。
【００２３】
一方、通信Ｉ／Ｆ１０９内の判別部によりプリンタ１１２が接続されたと判断した場合、デジタルカメラ１００とプリンタ１１２の間で通信を開始する（Ｓ１のＹｅｓ）。
【００２４】
デジタルカメラ１００とプリンタ１１２の間で通信が開始されると、通信プロトコルの確認や通信速度の確認などの通信ネゴシエーションが行われる。（Ｓ２）
デジタルカメラ１００と通信バス１１３を介してプリンタ１１２が接続され、通信ネゴシエーションが終了すると、プリンタ１１２から送信された印刷情報を取得する（Ｓ３）。ここで印刷情報は、プリンタメーカー名、プリンタ名、サポートする印刷用紙サイズ、印刷レイアウト、日付印刷機能などを含む印刷情報である。なお、プリンタ１１２からＵＳＢバス１１３および通信Ｉ／Ｆ１０９を介して受信した印刷情報は、内部バス１１０を介してＤＲＡＭ１０３へ一時的に保存される。
【００２５】
一時的に保存された印刷情報より、プリンタメーカー名を元にメディア１１１内に記録されている印刷設定ファイル（後述）を検索する（Ｓ４）。Ｓ４では、印刷設定ファイルの検索及びプリンタ１１２に該当する印刷設定情報の検索を行っている。Ｓ４の動作については、図４を用いて説明する。
【００２６】
まず、一時的に保存された印刷情報より、プリンタメーカー名を元に検索用ファイルを作成する。たとえば、プリンタメーカ名がプリンタＡであった場合、“プリンタＡ．ＰＲＴ“
とする。図５は、プリンタメーカーに基づいたファイルの命名を記したものである。（Ｓ１００）
メディア１１１内に保存されているファイルの中から“プリンタＡ．ＰＲＴ”があるかどうかを検索する。“プリンタＡ．ＰＲＴ”ファイルがメディア１１１にあった場合、“プリンタＡ．ＰＲＴ”内部に現在デジタルカメラ１００に接続されているプリンタ１１２のモデル名に関する印刷設定情報が記録されているかどうかを判断するステップへ移行する（Ｓ１０１のＹＥＳ）。
【００２７】
“プリンタＡ．ＰＲＴ”ファイルがメディア１１１内に存在しなかった場合、デジタルカメラ１００は、現在通信接続されているプリンタ１１２のモデルに関する印刷設定情報は無いものと判断する（Ｓ１０１のＮＯ）。
【００２８】
“プリンタＡ．ＰＲＴ”ファイルがメディア１１１内に存在した場合、“プリンタＡ．ＰＲＴ”の内容を読み出し、現在通信接続されているプリンタ１１２のモデル名で印刷設定情報が記録されているかどうかを判断する（Ｓ１０２）。具体的には、“プリンタＡ．ＰＲＴ”のファイルの内容をメディアＩ／Ｆ１０８および内部バス１１０を介してＤＲＡＭ１０３へ読み出す。ＤＲＡＭ１０３へ読み出した“プリンタＡ．ＰＲＴ”の印刷情報よりプリンタメーカー名を検索する。ＤＲＡＭ１０３へ読み出された“プリンタＡ．ＰＲＴ”の印刷設定情報の内部に現在通信接続されているプリンタ１１２に一致するモデル名が存在する場合、さらに印刷設定情報を読み出すステップへ移行する（Ｓ１０２のＹＥＳ）。逆に、ＤＲＡＭ１０３へ読み出された“プリンタＡ．ＰＲＴ”の印刷設定情報の内部に現在通信接続されているプリンタ１１２に一致するモデル名が存在しない場合、デジタルカメラ１００は、現在通信接続されているプリンタ１１２のモデルに関する印刷設定情報は無いものと判断し、次のステップへ移行する（Ｓ１０２のＮＯ）。
【００２９】
ＤＲＡＭ１０３へ読み出された“プリンタＡ．ＰＲＴ”の印刷設定情報の内部に現在通信接続されているプリンタ１１２に一致するモデル名が存在した場合、対応するモデル名で記録されている印刷設定情報を読み出す（Ｓ１０３）。ステップ１０３では、検出されたモデル名に対応した印刷設定情報のうち、たとえば、印刷用紙サイズの設定、印刷レイアウトの設定、日付印刷設定等の設定項目において、現在通信接続されているプリンタ１１２から取得し、ＤＲＡＭ１０３へ記録されている印刷情報と比較し、同一設定項目がプリンタ１１２へ備わっているかどうかを判断する。印刷設定情報の各項目（ここでは、印刷用紙サイズの設定、印刷レイアウトの設定、日付印刷設定等）において、それぞれの項目の印刷設定項目があるかどうか判断し、印刷設定項目が存在する場合は、現在接続されているプリンタ１１２に関する印刷設定情報が存在すると判断する。（Ｓ１０４のＹＥＳ）。
【００３０】
プリンタ１１２がバージョンアップされ、従来備えていた印刷設定項目に変更等が発生し、メディア１１１に保存されていた印刷設定項目と一致する印刷設定が存在しない場合、現在通信接続されているプリンタ１１２のモデルに関する印刷情報は無いものと判断する。（Ｓ１０４のＮＯ）。
【００３１】
現在接続されているプリンタ１１２に関する印刷設定情報が存在する場合（Ｓ１０４のＹＥＳ）、ＤＲＡＭ１０３へ記録されている印刷設定情報のうち、当該プリンタ１１２に関する印刷設定に基づき、デジタルカメラ１００のＬＣＤ１０４へその印刷設定を表示する（図３のＳ５）。
【００３２】
一方、現在接続されているプリンタ１１２に関する印刷設定情報が存在しない場合（図４のＳ１０１のＮＯ、Ｓ１０２のＮＯ、Ｓ１０３のＮＯ）、プリンタ１１２から取得した印刷情報に基づき、デフォルト設定でデジタルカメラ１００のＬＣＤ１０４へ印刷設定を表示する（図３のＳ５）。ここでいうデフォルト設定とは、プリンタに依存する設定でもよいし、予め決められている印刷設定であってもよい。
【００３３】
以上により、図３のステップ４における印刷設定ファイル検索及び印刷設定情報の取得を行うと、取得した印刷設定情報をデジタルカメラ１００のＬＣＤ１０４へ表示する（Ｓ５）。
【００３４】
デジタルカメラ１００において、ＬＣＤ１０４に表示されている印刷設定を操作部１０６を用いて変更することができ、設定した印刷情報に基づいて印刷を行う場合、ＬＣＤ１０４に表示されている印刷設定は、内部バス１１０および通信Ｉ／Ｆ１０９および通信バス１１３を介してプリンタ１１２へ送信される。また、印刷するための画像は、メディア１１１からメディアＩ／Ｆ１０８を介して読み出され、内部バス１１０および通信Ｉ／Ｆ１０９、通信バス１１３を介してプリンタ１１２へ送信される。プリンタ１１２では、デジタルカメラ１００から受信した印刷設定および画像データを元に印刷を行う。
【００３５】
ここで、デジタルカメラ１００からプリンタ１１２へ印刷開始要求を送信すると、デジタルカメラ１００内部では、プリンタ１１２へ送信した印刷設定を保存するための処理を行う（Ｓ７）。
【００３６】
ステップ７の印刷設定を保存するための処理については、保存するためのファイルの検索、印刷設定情報の有無、印刷設定情報の記録等があり、図７を用いて説明する。
【００３７】
図７のステップＳ２００において、現在通信接続されているプリンタ１１２から通信接続時（図３のＳ３の時）に取得したプリンタの印刷情報に基づき、プリンタメーカー名から印刷設定情報ファイル名を決定する。
【００３８】
ステップＳ２０１において、印刷設定情報ファイルがメディア１１１内にすでに保存されているかどうかを検索する。すでにメディア１１１内に同一の印刷設定情報ファイルが存在する場合は、ステップＳ２０２へ移行し、メディア１１内に同一の印刷設定情報ファイルが存在しない場合は、ステップＳ２０４へ移行し、印刷設定情報ファイルを作成する。
【００３９】
ステップＳ２０２において、印刷設定情報ファイル内部を検索し、現在接続されているプリンタ１１２のモデル名に一致する印刷設定情報があるかどうかを判断する。モデル名に一致する印刷設定情報が存在する場合は、ステップＳ２０３へ移行する。モデル名に一致する印刷設定情報が存在しない場合は、ステップＳ２０５へ移行する。
【００４０】
ステップＳ２０３において、デジタルカメラ１００のＬＣＤ１０４に表示されている印刷設定について、変更のあった印刷設定情報項目を変更し保存する。
【００４１】
一方、ステップＳ２０５では、プリンタ１１２に関する印刷設定情報として、新規に全ての情報を保存する。
【００４２】
ここで、図５は、印刷設定情報ファイルのファイル名の一例を示し、図６は、印刷設定情報ファイル内部の印刷設定を保存した場合の記述の一例を示している。
【００４３】
図５において、印刷設定情報ファイルは、プリンタメーカーに基づいて作成されている。たとえば、プリンタメーカーがプリンタＡであった場合、“プリンタＡ．ＰＲＴ”とする。
【００４４】
また、図６において、印刷設定情報ファイルに記録される印刷設定の一例を示す。印刷設定は、モデル名、印刷用紙サイズ、印刷レイアウト、日付等の項目に分け、各項目毎にＬＣＤ１０４の設定に基づいて保存する。印刷設定情報ファイルに別のプリンタの印刷設定がすでに存在するが、当該プリンタモデルに基づく印刷設定がない場合や、ステップＳ２０５のような場合は、新たにモデル名、印刷用紙サイズ、印刷レイアウト、日付等必要な情報を追加していき、すでに存在している別のプリンタモデルに基づく印刷設定はそのままにしておく。
【００４５】
このように、本実施の形態１のデジタルカメラによれば、以前に印刷したことのあるプリンタを接続した場合、以前印刷した場合の印刷設定に基づいた印刷設定を即座にＬＣＤへ表示することができる。また、印刷を実行した際の印刷設定をファイルへ保存するため、以前の印刷設定を覚えていなくても以前と同じ印刷設定で即座に印刷することが可能となる。これによりユーザーの煩わしい印刷設定のための動作を省くことができる。
【００４６】
本実施の形態１では、デジタルカメラとプリンタを直接接続した場合について説明したが、プリンタへ接続できる機器であれば、デジタルカメラでなくてもよい。たとえば、パーソナルコンピュータにプリンタを接続し、パーソナルコンピュータ上で印刷設定を行い、プリンタで画像を印刷する場合、印刷するための画像が保存されている記録メディアに印刷設定情報を記録したり、読み出したりすることで、同様の効果を実現することができる。
【００４７】
なお、本実施の形態１において、デジタルカメラ１００とプリンタ１１２はＵＳＢ等の通信ケーブル（２ａもしくは２ｂ）により接続されると記したが、デジタルカメラ１００とプリンタ１１２の間で情報交換することが可能であれば、シリアル通信やＩＥＥＥ１３９４、ＴＣＰ／ＩＰ等の通信方式でもよい。また、有線通信にこだわるものではなく、無線の通信方式であってもよい。
【００４８】
（実施の形態２）
実施の形態１では、デジタルカメラとプリンタを通信接続し、取得した印刷情報に基づいて、デジタルカメラで印刷設定及び印刷するための画像を選択し印刷することを特徴としていた。
【００４９】
実施の形態２では、印刷するための画像および印刷設定情報を格納した着脱可能が記憶媒体をプリンタで直接読み出すことで、デジタルカメラを接続することなく、印刷を行うことを特徴としている。
【００５０】
図８は、本発明の実施の形態２におけるプリンタの構成を示すブロック図である。図８において、８００はプリンタである。ここに示すプリンタ８００は、着脱可能な記憶媒体を制御するためのメディアや印刷するためのプリンタエンジンなど各機能ブロックが複数組み合わさって構成されている。
【００５１】
このプリンタ８００側において、プリンタエンジン８０１は画像信号処理部８０２によりプリンタに適した印刷データに変換された印刷データを印刷するための印刷処理部である。
【００５２】
画像信号処理部８０２は、コントローラ８０５の制御のもとメディア８１１から取得した画像データをメディアＩ／Ｆ８０８および内部バス８１０を介して印刷するための画像データを印刷するためのプリンタに適した印刷データへ変換する変換処理部である。
【００５３】
コントローラ８０５は、ユーザが操作部８０６を介して指令した内容を示す信号に基づいて各ブロックを制御するとともに、メディア８１１内部に記録されている印刷設定情報をＤＲＡＭ８０３へ格納させ、ＤＲＡＭ８０３に格納された印刷設定情報を内部バス８１０を介してＬＣＤ８０４へ表示したり、メディアＩ／Ｆ８０８、通信Ｉ／Ｆ８０９を制御することで、印刷するための画像データをメディア１１１や通信Ｉ／Ｆを介して外部デバイスから取得し、ＤＲＡＭ８０３に格納したり、画像信号処理８０２で印刷するためにプリンタに適した印刷データへ変換を行い、印刷するためにプリンタエンジンを制御する。また、ＲＯＭ８０７は、コントローラ８０５が制御を行うために必要なプログラムが格納されている。
【００５４】
次に、プリンタ８００にメディアが装着された場合に、プリンタ８００に基づいた印刷設定情報を検索し、プリンタ８００に該当する印刷設定情報を選択し、表示を行い、印刷されるまでの動作について図９のフローを用いて説明する。
【００５５】
プリンタ８００内部のメディアＩ／Ｆ８０８により着脱可能な記録メディア８１１が装着されたかどうかを判別する（Ｓ９００）。メディアＩ／Ｆ８０８により、メディア８１１が検出されない場合、メディア８１１が装着されるまで検出処理を繰り返す（Ｓ９００のＮｏ）。
【００５６】
一方、メディアＩ／Ｆ８０８によりメディア８１１が接続されたことを検出した場合、プリンタ８００自身の印差情報を取得する処理へ移行する（Ｓ９００のＹｅｓ）。
【００５７】
着脱可能なメディア８１１が検出された場合、プリンタ８００は、自身の印刷情報をＲＯＭ８０７から読みだし、ＤＲＡＭ８０３へ格納する（Ｓ９０１）。ここで印刷情報は、プリンタメーカー名、プリンタ名、サポートする印刷用紙サイズ、印刷レイアウト、日付印刷機能などを含む印刷情報である。一時的に保存された印刷情報より、プリンタメーカー名を元にメディア８１１内に記録されている印刷設定ファイルを検索する（Ｓ９０２）。Ｓ９０２では、印刷設定ファイルの検索及びプリンタ８００に該当する印刷設定情報の検索を行っている。Ｓ９０２の動作については、実施の形態１ですでに説明した図３のＳ４と同様の動作をするため、説明は省略する。
【００５８】
Ｓ９０２において、印刷設定情報の取得が終了すると、取得した印刷設定情報に基づき、ＬＣＤ８０４へ印刷設定情報を表示する（Ｓ９０３）。
【００５９】
ＬＣＤ８０４の印刷設定に基づき、操作部８０６を用いて印刷を開始すると、メディア８１１から印刷対象である画像のデータを読み出し、画像信号処理部８０２を介してプリンタエンジン８０１へと送られ印刷が開始される（Ｓ９０４）。
【００６０】
Ｓ９０４において、印刷が開始されると、プリンタ８００内部では、印刷設定情報を保存するための処理を実施する（Ｓ９０５）。印刷設定情報を保存するための処理は、実施の形態１の図３のＳ７ですでに説明しているのでここでは省略する。
【００６１】
このように、本実施の形態２のプリンタによれば、印刷設定ファイルを格納したメディアを装着した場合、以前印刷した場合の印刷設定に基づいた印刷設定を即座にＬＣＤへ表示することができ、メディア内に保存されている印刷設定で即座に印刷することが可能となる。これによりユーザーの煩わしい印刷設定のための動作を省くことができる。
【００６２】
また、実施の形態１で述べたように、印刷を実行した際の印刷設定をファイルへ保存する構成とした場合、以前の印刷設定を覚えていなくても以前と同じ印刷設定で即座に印刷することが可能となる。これによりユーザーの煩わしい印刷設定のための動作を省くことができる。
【００６３】
なお、実施の形態１および実施の形態２において、表示手段としてＬＣＤと表記１０４，８０４を例示したが、これには限らない。たとえば、有機ＥＬでもよく、ＣＲＴでもよい。
【００６４】
また、印刷設定情報ファイルは、プリンタメーカー名を元に命名することを例示したが、これには限らない。プリンタのモデル名を元に命名しても良いし、任意のファイル名をつけても良い。ただし、ファイル名が変更されることにより、ファイル検索処理が変更されることはいうまでもない。
【００６５】
さらに、図６に示す印刷設定情報の各項目は、図に示した項目に限られるものでなく、印刷に必要な情報等を追加しても良い。
【産業上の利用可能性】
【００６６】
本発明は、画像出力装置により記録した画像を印刷装置で印刷する場合に適用可能である。たとえば、デジタルスチルカメラやプリンタ、携帯電話端末等に適用できる。
【図面の簡単な説明】
【００６７】
【図１】本発明の実施の形態１に係る自動印刷設定システムの構成を示すブロック図
【図２】デジタルカメラの構成を示すブロック図
【図３】本発明の実施の形態１に係る印刷設定情報保存までの動作を示すフローチャート
【図４】印刷設定検索ステップ（Ｓ４）を詳細に示したフローチャート
【図５】印刷設定情報ファイルのファイル名の一例を示す図
【図６】印刷設定情報ファイル内の印刷設定例を示した図
【図７】印刷設定情報保存ステップ（Ｓ７）を説明するためのフローチャート
【図８】本発明の実施の形態２に係る自動印刷設定プリンタの構成を示すブロック図
【図９】本発明の実施の形態２に係る印刷設定情報保存までの動作を説明するためのフローチャート
【符号の説明】
【００６８】
１、１００    デジタルカメラ
２ａ、２ｂ    通信ケーブル
３ａ、３ｂ、８００    プリンタ
４、１０４、８０４    ＬＣＤ
５、１０６、８０６    操作部
１０１    撮影手段
１０２、８０２    画像信号処理部
１０３、８０３    ＤＲＡＭ
１０５、８０５    コントローラ
１０７、８０７    ＲＯＭ
１０８、８０８    メディアＩ／Ｆ
１０９、８０９    通信Ｉ／Ｆ
１１０、８１０    内部バス
１１１、８１１    外部記録メディア
１１２    外部デバイス
１１３    通信バス
【図１】
2006352209.tif 000003
【図２】
2006352209.tif 000004
【図３】
2006352209.tif 000005
【図４】
2006352209.tif 000006
【図５】
2006352209.tif 000007
【図６】
2006352209.tif 000008
【図７】
2006352209.tif 000009
【図８】
2006352209.tif 000010
【図９】
2006352209.tif 000011